(57)【特許請求の範囲】
【請求項１】
一端に孔９を有すると共に突起物６を有し他端に上係止具４を有する上保持板１と、一端に孔９を有すると共に他端に前記上係止具４と係脱する下係止具５を有する下保持板２と、一端に孔９を有すると共に突起物６を有する中板３と、固定止めピン１０が両保持板と中板３の孔９を挿通し、これにより兆番１１を構成する女性用下着の肩紐安定保持具１２において、中板３は前記両保持板が有する長さより短くされ、上係止具４と下係止具５とを係止することで上保持板１と中板３によって囲まれる突起物６を有する上空隙部７と、中板３と下保持板２によって囲まれる下空隙部８が形成され、保持具１２の上空隙部７は衣類Ｃの肩紐Ｂに固定され、衣類Ｃとは別の衣類の肩紐Ａが下空隙部８を挿通するように両係止具を係止して、衣類Ｃと肩紐Ａとを連結せしめることを特徴とする女性用下着の肩紐安定保持具。
【発明の詳細な説明】
【技術分野】
【０００１】
本発明は、肩紐Ａを有する女性用下着のブラジャーを着衣した時に、肩紐Ａを所定位置に安定させることを可能にする、女性用下着の肩紐安定保持具に関するものである。
【背景技術】
【０００２】
衣服の肩裏に安全ピンを固定し、ブラジャーやスリップ、キャミソール等の肩紐Ａを保持具に挿通して衣服と肩紐Ａを連結して肩紐Ａの滑り落ちを防止しているのは公知である。
【特許文献１】実公昭３６-２１９５３号公報、
【特許文献２】実公昭３９−３２８５０号公報、
【特許文献３】実公昭４２−１０９１８号公報、
【特許文献４】特開２００４−６０１３６号公報、
【特許文献５】実用新案登録第３１１８５４９号公報
【０００３】
上記の特許文献は、安全ピンと保持具を連結し、安全ピンを衣服の肩裏に掛脱自在に取付け、保持具に肩紐Ａを脱着自在に挿通して、衣服と肩紐Ａを連結し肩紐Ａの滑り落ちを防止している。
【発明の開示】
【発明が解決しようとする課題】
【０００４】
前記の如く従来の有する技術は安全ピンと保持具を連結し、安全ピンを衣服の肩裏に固定し保持具に肩紐Ａを挿通して衣服と肩紐Ａを連結させて肩紐Ａを安定させる構造は、安全ピンを衣服の肩裏に固定できることで保持具も衣服の肩裏に固定できる構造であったため、保持具を衣服に固定できるのは衣服の両肩部は身頃を有した衣服に限定されたものであった。
【０００５】
最近では、図４の胸側と図５の背側のように身頃を上方まで長くし、図５の背側の身頃の上方は内側に狭くなるように寄せると共に左右端は紐状に成して延長させ、図４の胸側の身頃の左右に渡して取付けられた両肩部は紐状の肩紐Ｂに構成し、着衣した時に肩紐Ｂが両肩に丁度ぴったりフイットするように前後に平行させた下着や衣服（以下、下着や衣服を衣類Ｃと称す）が開発され、身体の屈曲動作等でも肩紐Ｂは安定し、撫で肩や肩幅の狭い体型の人達が着衣しても肩紐Ｂが肩から滑り落ちず着心地感良好でファッション性も高く、多くの女性達が愛用している衣類Ｃが存在する。
前記衣類Ｃの両肩部は紐状の肩紐Ｂに構成されているが、左右の肩紐Ｂは両肩に丁度ぴったりフイットして安定する構造であるため、前記肩紐Ｂと滑り動き易いブラジャーの肩紐Ａを連結させると、肩紐Ｂの所定位置に肩紐Ａを制動させて安定可能に成し得る効果を発揮する衣類Ｃである。しかしながら、紐状の肩紐Ａと紐状の肩紐Ｂを連結させる技術が存在しなかった為、図６に示すように肩紐Ｂは両肩に安定するが肩紐Ａは身体の屈曲動作等や特に肩幅の狭い人や撫で肩の人達は肩紐Ａが肩から滑り落ち易いため、肩紐Ａが肩から落ちているのが外見から見えるとお洒落感覚を減少させる欠点になるばかりか、肩紐Ａが肩から滑り落ちるともそもそして気持ちが悪く不快感を感受したり、その都度肩紐Ａを掛け直さなければならず不便である。
本発明は、従来の技術の有するこのような課題に鑑みてなされたものであり、その目的とするところは、前記記載の両肩部は紐状の肩紐Ｂに構成された衣類Ｃの肩紐Ｂとブラジャーの肩紐Ａを連結することで衣類Ｃの肩紐Ｂの所定位置に肩紐Ａを安定可能にする肩紐安定保持具を提供するものである。
【課題を解決するための手段】
【０００６】
上記の目的を達成するため、本発明における肩紐安定保持具は、開閉係脱可能な保持具１２の内部に衣類Ｃの肩紐Ｂに保持具１２を固定させる突起物６を有する上空隙部７と肩紐Ａを挿通させる下空隙部８を形成し、前記空隙部に肩紐Ａ.Ｂを挿通して固定し肩紐Ａと肩紐Ｂを連結することで肩紐Ｂの所定位置に肩紐Ａが安定するように構成したものである。
【発明の効果】
【０００７】
本発明は上述の通りの構成と使用状態によって次のような効果を発揮する。
女性用下着の肩紐Ａを有したブラジャーと肩紐Ｂを構成した衣類Ｃを着衣した時に、保持具１２を開放して突起物６を有する上空隙部７に肩紐Ｂを、下空隙部８に肩紐Ａを挿通して固定するだけで簡単に肩紐Ａと肩紐Ｂは連結できて保持具１２は衣類Ｃの肩紐Ｂに完全に固定されて移動せず、肩紐Ａは肩紐Ｂの所定位置に安定する効果を発揮して肩紐Ａが滑り落ち易い体型の人達や、身体の屈曲動作等で発生する肩紐Ａの滑り落ちを防止できる。 
更に、肩紐Ａと肩紐Ｂを保持具１２に収納することで、図４．図５のように２本の肩紐は１本の肩紐に成るように演出できて見栄え良く、身体の屈曲動作等で肩紐Ａが下空隙部８を挿通するため違和感がなく快適である。
しかも、この保持具１２は胸側の肩紐Ａ．Ｂに直接装着でき取付け位置も確認し易く、付け替えの操作が簡単にできる利点もある。
【発明を実施するための最良の形態】
【０００８】
以下に、本発明の実施例の形態について説明する。
下面に上係止具４を有すると共に下面に突起物６を有する上保持板１と、上面に前記係止具４と係脱させる下係止具５を有する下保持板２と、上面に突起物６を有すると共に前記両保持板が有する長さより短くした中板３とから構成し、前記両保持板の間に中板３を位置させて兆番１１で開閉可能に連結することで係止具４と係止具５とが係脱できる保持具１２に構成する。
そして、前記両保持板の係止具４．５を係止することで上保持板１と中板３によって囲まれる突起物６を有する上空隙部７と、中板３と下保持板２によって囲まれる下空隙部８を形成する。
前記係止具４．５を開放して突起物６を有する上空隙部７に肩紐Ｂを挿通し、下空隙部８に肩紐Ａを挿通して係止具４．５を係止するだけで、保持具１２は肩紐Ｂに固定でき肩紐Ａは挿通するように肩紐Ａと肩紐Ｂを連結できる単品に構成する。
前述の如く、本発明の保持具１２は単品に構成しているため、図１に示すように両保持板の係止具４．５を開放して、図３に示すように着衣した衣類Ｃの肩紐Ｂを突起物６を有する上保持板１と突起物６を有する中板３の間に挿通し、ブラジャーの肩紐Ａを中板３と下保持板２の間に挿通して（図３は上保持板１の下面の突起物６を図示せず）、図２に示すように係止具４．５を係止するだけで（図２は肩紐Ａと肩紐Ｂを図示せず）、上空隙部７の肩紐Ｂに上保持板１の突起物６と中板３の突起物６が上下から押圧して挟持するため衣類Ｃの肩紐Ｂに保持具１２は固定できる。そして、下空隙部８の肩紐Ａは中板３と下保持板２で囲まれる空隙を挿通できるため、保持具１２を固定した衣類Ｃの肩紐Ｂと身体の動きによって伸縮し前後に移動する肩紐Ａとが引き合う作用を回避させるように構成し、肩紐Ａと肩紐Ｂを連結させることで肩紐Ｂの所定位置に肩紐Ａを制動させて安定させるものである。
本発明の実施例を図面を参照しながら説明する。
図１は実施例の開放した状態の断面図。
図２は図１を閉止した状態の断面図。
図３は図１の開放した状態で肩紐Ｂは突起物６を有する上保持板１と突起物６
を有する中板３の間に、肩紐Ａは中板３と下保持板２の間に挿通する状態を示し
た斜視図である。
（図３は上保持板１の下面の突起物６と下面の上係止具４を図示せず）
【実施例】
【０００９】
１は上保持板で、肩紐Ａ．Ｂの巾を収納できる長さと下保持板２と係合できる上係止具４を有させ、下面に突起物６を設け、一端に孔９を有し中板３と下保持板２が開閉できる兆番１１を連結させる。
２は下保持板で、肩紐Ａ．Ｂの巾を収納できる長さと上保持板１と係合できる下係止具５を有させ、一端に孔９を有し上保持板１と中板３が開閉できる兆番１１を連結させる。
３は中板で、上保持板１と下保持板２の間に位置させて兆番１１で連結した状態で、上保持板１の上係止具４と下保持板２の係止具５とを係合した時に係止具４．５の位置の内側に収まる程度に両保持板が有する長さより短く有させ、上係止具４と下係止具５とを係合係脱させると共に、両保持板の係止具４．５を係止した時に、上保持板１と下保持板２によって囲まれる空隙を二分割させて上空隙部７と下空隙部８を形成するもので、上面に突起物６を設け、一端に孔９を有し上保持板１と下保持板２が開閉できる兆番１１を連結させる。
前記上保持板１と下保持板２と中板３の素材は、金属類、プラスチック類、合成樹脂類、ガラス類、陶器類等の硬質材で構成される。
４は上係止具、５は下係止具で、上保持板１は兆番１１側の一方の他端に下面下方に下係止具５に係合させる上係止具４を設け、下保持板２は兆番１１側の一方の他端の上面上方には上係止具４に係合させる下係止具５を設ける。
前記上係止具４と下係止具５は、両保持板の素材自体を凸凹して嵌合させてもよく、磁石類、スナップ類、マジックテープ（登録商標）類等でもよく、係脱可能であれば特に限定はない。
６は突起物で、上保持板１は兆番１１側から上係止具４の位置までの範囲内に下面下方に突起させる。中板３は兆番１１側から片端までの範囲内に上面上方に突起させる。
前記突起物６は、上保持板１と中板３の素材自体を突起させて構成してもよく、別体で構成してもよく特に限定はなく、数と形状も特に限定はない。
７は上空隙部で、上保持板１の上係止具４と下保持板２の下係止具５とを係止した時に、上保持板１の下面と中板３の上面によって囲まれる突起物６を有する空隙部で、上保持板１の下面下方の突起物６と中板３の上面上方の突起物６とが衣類Ｃの紐状の肩紐Ｂを上下から押圧させて挟持させる空隙部で、保持具１２を肩紐Ｂに固定する空隙である。
８は下空隙部で、上保持板１の上係止具４と下保持板２の下係止具５を係止した時に、中板３の下面と下保持板２の上面によって囲まれる空隙部で、肩紐Ａの厚みよりも広い内径を有し、ゴム入り肩紐Ａが伸び縮し前後へ移動可能に挿通させる空隙である。
９は孔、１０は固定止めピンで孔９に固定止めピン１０を挿通するもので、上保持板１と下保持板２と中板３の孔９を揃えて固定止めピン１０を挿通することで兆番１１が構成される。
１１は兆番で、上保持板１の一端と中板３の一端と下保持板２の一端を軸で開閉可能に軸支状態に連結する。
この上保持板１と中板３と下保持板２を兆番１１で連結することで保持具１２は形成される。
本発明の保持具１２を使用するには、上係止具４と下係止具５を開放して、突起物６を有する中板３と突起物６を有する上保持板１を確認してから、着衣した衣類Ｃの肩紐Ｂを突起物６を有する上保持板１と突起物６を有する中板３の間に挿通し、ブラジャーの肩紐Ａを中板３と下保持板２の間に挿通して、上係止具４と下係止具５を係合させて固定する。
【図面の簡単な説明】
【００１０】
【図１】本発明の実施例の開放状態を示した断面図である。
【図２】本発明の実施例の閉止状態を示した断面図である。
【図３】本発明の保持具に肩紐Ａと肩紐Ｂを挿通する状態を示した斜視図である。
【図４】本発明の保持具を肩紐Ａ．Ｂに装着状態を示した正面図である。
【図５】図４の装着状態の背部面を示した図である。
【図６】従来の着衣状態を示した正面図である。
【符号の説明】
【００１１】
１         上保持板     
２         下保持板   
３         中板    
４         上係止具   
５         下係止具  
６         突起物 
７         上空隙部 
８         下空隙部
９         孔
１０       固定止めピン
１１       兆番
１２       保持具
Ａ         ブラジャーの肩紐   
Ｂ         衣類Ｃの肩紐
Ｃ         衣類
【要約】      （修正有）【課題】ブラジャーの肩紐の滑り落ちを防止することができる女性用下着の肩紐安定保持具を提供する。【解決手段】肩紐Ａを有したブラジャーと肩紐Ｂを構成した衣類Ｃを着衣した状態で、肩紐Ａ．Ｂに装着する保持具は、下面に上係止具と突起物６を有する上保持板１と、上面に前記上係止具に係脱させる下係止具５を有する下保持板２と、上面に突起物６を有すると共に前記両保持板より短くした中板３を前記両保持板の間に位置させて兆番１１で開閉可能に連結し、係止具５を係止した時に上保持板１と中板３によって囲まれる突起物６を有する上空隙部と、中板３と下保持板２によって囲まれる下空隙部８が形成され、肩紐Ｂを上空隙部に肩紐Ａを下空隙部８に挿通して係止具５を係止すると保持具は衣類Ｃの肩紐Ｂに固定され、肩紐Ａが挿通するように衣類Ｃと肩紐Ａとを連結する女性用下着の肩紐安定保持具。【選択図】図３【図１】
0004200508.tif 000002
【図２】
0004200508.tif 000003
【図３】
0004200508.tif 000004
【図４】
0004200508.tif 000005
【図５】
0004200508.tif 000006
【図６】
0004200508.tif 000007